【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
カルバメート基及び／又はアロファネート基を含有する、熱及び化学線により硬化可能な（デュアルキュア）混合物において、該混合物が
（Ａ）
（Ａ１）アロファネート基、カルバメート基、及びカルバメート基及びアロファネー            ト基を含有する低分子化合物、オリゴマー及びポリマー、及び
（Ａ２）アロファネート基、カルバメート基、及びカルバメート基及びアロファネー            ト基及び付加的にアロファネート反応性官能基及び／又はカルバメート反応            性官能基を含有する低分子化合物、オリゴマー及びポリマー、
からなる群から選択された少なくとも１種の成分、
但し該成分は、化学線により活性化可能な少なくとも１個の結合を含有する反応性官    能基を本質的又は完全に含有しておらず、並びに
（Ｃ）化学線により活性化可能な少なくとも１個の結合を含有する反応性官能基を分子中      に統計的平均で少なくとも１個含有する、少なくとも１種の成分；
を含有するが、但しこれは
専ら成分（Ａ１）が使用される場合、
デュアルキュア混合物がなお
（Ｂ）アロファネート反応性官能基及び／又はカルバメート反応性官能基を含有する低分子化合物、オリゴマー及びポリマーからなる群から選択された少なくとも１種の成分を含有する
という条件付きであることを特徴とする混合物。
【請求項２】
アロファネート反応性官能基及び／又はカルバメート反応性官能基が、Ｎ−メチロール基及びＮ−メチロールエーテル基からなる群から選択されている、請求項１記載のデュアルキュア混合物。
【請求項３】
化学線により活性化可能な結合が、炭素−水素−単結合、又は炭素−炭素−単結合もしくは炭素−炭素−二重結合、炭素−酸素−単結合もしくは炭素−酸素−二重結合、炭素−窒素−単結合もしくは炭素−窒素−二重結合、炭素−リン−単結合もしくは炭素−リン−二重結合、又は炭素−珪素−単結合もしくは炭素−珪素−二重結合からなる群から選択されている、請求項１又は２記載のデュアルキュア混合物。
【請求項４】
二重結合が、（メタ）アクリレート基、エタクリレート基、クロトネート基、シンナメート基、ビニルエーテル基、ビニルエステル基、エテニルアリーレン基、ジシクロペンタジエニル基、ノルボルネニル基、イソプレニル基、イソプレニル基、イソプロペニル基、アリル基又はブテニル基；エテニルアリーレンエーテル基、ジシクロペンタジエニルエーテル基、ノルボルネニルエーテル基、イソプレニルエーテル基、イソプロペニルエーテル基、アリルエーテル基又はブテニルエーテル基、又はエテニルアリーレンエステル基、ジシクロペンタジエニルエステル基、ノルボルネニルエステル基、イソプレニルエステル基、イソプロペニルエステル基、アリルエステル基又はブテニルエステル基として存在している、請求項３記載のデュアルキュア混合物。
【請求項５】
二重結合が（メタ）アクリレート基中に存在している、請求項４記載のデュアルキュア混合物。
【請求項６】
オリゴマー及びポリマー（Ａ）が、エチレン性不飽和モノマーの、統計的に、交互に及びブロック状に構成された、直鎖及び分枝鎖及び櫛状に構成された（コ）ポリマー、又は重付加樹脂及び重縮合樹脂からなる群から選択されている、請求項１から５までのいずれか１項記載のデュアルキュア混合物。
【請求項７】
（コ）ポリマー（Ａ）が、（メタ）アクリレートコポリマー及びポリビニルエステル、並びに、ポリエステル、アルキド、ポリウレタン、ポリラクトン、ポリカーボネート、ポリエーテル、エポキシ樹脂−アミン−付加物、ポリ尿素、ポリアミド及びポリイミドからなる群からなる重付加樹脂及び重縮合樹脂からなる群から選択されている、請求項６記載のデュアルキュア混合物。
【請求項８】
成分（Ｂ）が、アミノ可塑性樹脂の群から選択されている、請求項１から７までのいずれか１項記載のデュアルキュア混合物。
【請求項９】
成分（Ｃ）が、化学線により硬化可能な反応性希釈剤及び（メタ）アクリル官能性（メタ）アクリルコポリマー、ポリエーテルアクリレート、ポリエステルアクリレート、不飽和ポリエステル、エポキシアクリレート、ウレタンアクリレート、アミノアクリレート、メラミンアクリレート、シリコーンアクリレート及び相応するメタクリレートからなる群から選択されている、請求項１から８までのいずれか１項記載のデュアルキュア混合物。
【請求項１０】
成分（Ｃ）がペンタエリトリットトリアクリレート及びジペンタエリトリットペンタアクリレートである、請求項９記載のデュアルキュア混合物。
【請求項１１】
少なくとも１種のアミン及び／又は水と、少なくとも１種のイソシアネートとを、少なくとも１種のオリゴマー及び／又はポリマー（Ａ）及び／又は少なくとも１種のアミノ可塑性樹脂（Ｂ）の存在で反応させることにより製造可能である、珪酸及び尿素誘導体からなる群から選択された少なくとも１種のレオロジー助剤（Ｄ）を含有する、請求項１から１０までのいずれか１項記載のデュアルキュア混合物。
【請求項１２】
少なくとも１種の湿潤剤（Ｅ）を含有する、請求項１から１１までのいずれか１項記載のデュアルキュア混合物。
【請求項１３】
シロキサン、フッ素含有化合物、カルボン酸半エステル、リン酸エステル、ポリアクリル酸及びそのコポリマー並びにポリウレタンからなる群から選択された少なくとも１種の湿潤剤（Ｅ）を含有する、請求項１２記載のデュアルキュア混合物。
【請求項１４】
レオロジー助剤（Ｄ）とは別に、慣用かつ公知の有機及び無機の、色及び／又は効果を付与する顔料、導電性顔料、磁気を遮断する顔料及び蛍光性顔料、並びに、慣用かつ公知の有機及び無機の充填剤及びナノ粒子からなる群から選択された少なくとも１種の顔料（Ｆ）を含有する、請求項１から１３までのいずれか１項記載のデュアルキュア混合物。
【請求項１５】
少なくとも１種の光開始剤（Ｇ）を含有する、請求項１から１４までのいずれか１項記載のデュアルキュア混合物。
【請求項１６】
請求項１から１５までのいずれか１項記載の、カルバメート基及び／又はアロファネート基を含有する、熱及び化学線により硬化可能なデュアルキュア混合物を、その成分を混合することにより製造する方法において、少なくとも１種のアミン及び／又は水と少なくとも１種のイソシアネートとを、少なくとも１種のオリゴマー及び／又はポリマー（Ａ）及び／又は少なくとも１種のアミノ可塑性樹脂（Ｂ）の存在で反応させることによりレオロジー助剤（Ｄ）を製造することを特徴とする、請求項１から１５までのいずれか１項記載の、カルバメート基及び／又はアロファネート基を含有する、熱及び化学線により硬化可能なデュアルキュア混合物の製造法。
【請求項１７】
請求項１から１５までのいずれか１項記載の、カルバメート基及び／又はアロファネート基を含有する、熱硬化可能なデュアルキュア混合物の、デュアルキュア塗料、デュアルキュア接着剤又はデュアルキュアシール材としての使用。
【請求項１８】
デュアルキュア塗料をデュアルキュアクリヤコートとして使用する、請求項１７記載の使用。
【請求項１９】
塗料、接着剤又はシール材を、車両ボディ及びその部材、車両の内部領域及び外部領域、建築物の内部領域及び外部領域、家具、窓及びドアの塗装、接着及び封止、並びに工業的塗装の分野における、小型部品、コイル、コンテナ、包装、電気工業部品及び白色物品の塗装、接着及び封止に使用する、請求項１７又は１８記載の使用。